(57)【要約】【課題】  本発明は、モーター等の外力によって移動体を上下昇降させる際、移動体と固定体の間に介在させて、移動体の横揺れを防止する上下スライド案内装置に関するもので、ボールの転がりによる摺動と、点接触のボールの滑りによる摺動を同時に可能とすることで、ボールクリープ現象が発生せず、簡単な構成で、安価に製作できる上下スライド案内装置を提供することを課題とする。【解決手段】固定側アウターメンバーと、複数のボールと、複数のボールを介して固定側アウターメンバーに摺動自在に保持される移動側インナーメンバーよりなり、移動側インナーメンバーは、連結用基板と、連結用基板の短手方向の両端部を固定側アウターメンバーの基板方向に突出させた両端ボール保持突片より、断面略コ字形に形成され、両端ボール保持片には上下方向に所定間隔を有して、ボールを回転自在に保持するボール保持孔が複数個形成されているものである。【選択図】図１
2013190047.tif 000002
【特許請求の範囲】
【請求項１】
固定側アウターメンバーと、複数個のボールと、複数個のボールを介して固定側アウターメンバーに摺動自在に保持される移動側インナーメンバーよりなり、固定側アウターメンバーは、金属性の帯状板体からなる基板と、基板の短手方向の両端部を略半円弧状に折り曲げて、内面にボール摺動面が形成されたアウターメンバー両端折り曲げ縁を有し、移動側インナーメンバーは、金属性の帯状板体からなる連結用基板と、連結用基板の短手方向の両端部を固定側アウターメンバーの基板方向に突出させた両端ボール保持突片より、断面略コ字形に形成され、両端ボール保持片には上下方向に所定間隔を有して、内面にテーパー面を有する皿型で、金属製のボールを回転自在に保持するボール保持孔が複数個形成されていることを特徴とする上下方向スライド案内装置。
【請求項２】
固定側アウターメンバーと、複数個のボールと、複数個のボールを介して固定側アウターメンバーに摺動自在に保持される移動側インナーメンバーよりなり、固定側アウターメンバーは、金属性の帯状板体からなる基板と、基板の短手方向の両端部を略半円弧状に折り曲げて、内面にボール摺動面が形成されたアウターメンバー両端折り曲げ縁を有し、移動側インナーメンバーは、金属性の帯状板体からなる連結用基板と、連結用基板の短手方向の両端部を固定側アウターメンバーの基板方向に突出させた両端ボール保持突片より、断面略コ字形に形成され、両端ボール保持片には上下方向に所定間隔を有して、内面にテーパー面を有する皿型で、合成樹脂材のボールを回転自在に保持するボール保持孔が複数個形成されていることを特徴とする上下方向スライド案内装置。
【発明の詳細な説明】
【技術分野】
【０００１】
本発明は、モーター等の外力によって移動体を上下昇降させる際、移動体と固定体の間に介在させて、移動体の横揺れを防止する上下スライド案内装置に関するものである。
【背景技術】
【０００２】
従来、上下スライド案内装置として数々のものが提供されている。
その代表的なものとして先行技術文献（特許文献１の図６）に示すように、固定側アウターメンバーと、複数個のボールを回転自在に保持するボールリテーナと、複数個のボールを介して、固定側アウターメンバーに摺動自在に保持される移動側インナーメンバーより構成されている。
そして、移動側インナーメンバーは、理論上、ボール（ボールリテーナ）の移動距離の２倍移動することなる。
しかしながら、移動側インナーメンバーは、モーター等の外力によって昇降するので、重力に影響されることはないが、ボール（ボールリテーナ）は、常に下方向きに重力が負荷されているので、移動側メンバーの上昇時は、移動側メンバーの移動距離の２分の１も移動せず、移動側メンバーの下降時は、移動側メンバーの移動距離の２分の１より多く移動することがある。
すなわち、ボールクリープ現象（ボールと移動側のインナーメンバーの動きのズレ）が起こりやすく、長期間に渡って使用していると、ボールが移動側インナーメンバーから下方に脱落することがあり、上下方向スライド案内装置には適していなかった。
【先行技術文献】
【特許文献】
【０００３】
【特許文献１】特開２０１０−４２０７２号公報（図６）
【発明の概要】
【発明が解決しようとする課題】
【０００４】
本発明では、垂直方向、あるいは、斜め上下方向の使用であっても、ボールの転がりによる摺動と、点接触の滑りによる摺動を同時に可能とすることで、ボールクリープ現象が発生せず、簡単な構成で、安価に製作できる上下スライド案内装置を提供することを課題とする。
【課題を解決するための手段】
【０００５】
そこで、上記課題を解決する為、本発明が第１の手段として構成したところは、固定側アウターメンバーと、複数個のボールと、複数個のボールを介して固定側アウターメンバーに摺動自在に保持される移動側インナーメンバーよりなり、固定側アウターメンバーは、
金属性の帯状板体からなる基板と、基板の短手方向の両端部を略半円弧状に折り曲げて、内面にボール摺動面が形成されたアウターメンバー両端折り曲げ縁を有し、移動側インナーメンバーは、金属性の帯状板体からなる連結用基板と、連結用基板の短手方向の両端部を固定側アウターメンバーの基板方向に突出させた両端ボール保持突片より、断面略コ字形に形成され、両端ボール保持突片には上下方向に所定間隔を有して、内面にテーパー面を有する皿型で、金属製のボールを回転自在に保持するボール保持孔が複数個形成されているものである。
【０００６】
そこで、上記課題を解決する為、本発明が第２の手段として構成したところは、固定側アウターメンバーと、複数個のボールと、複数個のボールを介して固定側アウターメンバーに摺動自在に保持される移動側インナーメンバーよりなり、固定側アウターメンバーは、
金属性の帯状板体からなる基板と、基板の短手方向の両端部を略半円弧状に折り曲げて、内面にボール摺動面が形成されたアウターメンバー両端折り曲げ縁を有し、移動側インナーメンバーは、金属性の帯状板体からなる連結用基板と、連結用基板の短手方向の両端部を固定側アウターメンバーの基板方向に突出させた両端ボール保持突片より、断面略コ字形に形成され、両端ボール保持突片には上下方向に所定間隔を有して、内面にテーパー面を有する皿型で、合成樹脂材のボールを回転自在に保持するボール保持孔が複数個形成されているものである。
【発明の効果】
【０００７】
本発明の第１の手段として構成したところによると、従来のように、ボールをボールリテーナで保持する代わりに、移動側インナーメンバーにボール保持孔を形成し、このボール保持孔でボールを回転自在で保持しているので、移動側インナーメンバーとボールの移動距離は必ず同一となり、ボールクリープ現象を起こすことがなく、上下スライド案内装置としては最適である。
そして、ボールリテーナをなくしたので、部品点数が削減でき、安価に製作できる。
また、ボール保持孔を内面にテーパー面を有する皿型としているので、ボール保持孔およびボールを磨耗させることがない。したがって、ボールの保持状態を同一のまま長期に渡って維持することができ、安定した摺動状態が得られる。
さらに、固定側アウターメンバー、移動側インナーメンバー、ボール等に製作誤差、組立誤差が発生してボールの一部が回転しない状態となっても、固定側アウターメンバーのボール摺動面とボールは点接触であるから摩擦抵抗が少なく、ボールは円滑にボール摺動面を滑り、違和感のないスライド状態を得ることができる。
【０００８】
本発明の第２の手段として構成したところによると、上記効果に加え、ボールを合成樹脂材で構成しているので、インナーメンバーの移動時に発生するボールの転がり音、摺動音が、金属同士（金属製アウターメンバーと金属製のボール）により発生する音に比べ軽減できる。
【図面の簡単な説明】
【０００９】
【図１】図１は、本発明の斜視図である。
【図２】図２は、本発明の移動側インナーメンバーの斜視図である。
【図３】図３は、本発明のボール部分での拡大横断面図である。
【図４】図４は、本発明のボール部分以外での拡大横断面図である。
【発明を実施するための形態】
【００１０】
本発明は、固定側アウターメンバーと、複数個のボールと、複数個のボールを介して固定側アウターメンバーに摺動自在に保持される移動側インナーメンバーよりなり、固定側アウターメンバーは、金属性の帯状板体からなる基板と、基板の短手方向の両端部を略半円弧状に折り曲げて、内面にボール摺動面が形成されたアウターメンバー両端折り曲げ縁と、基板の上下端部を内方に折り曲げた上下ストッパー受片よりなり、移動側インナーメンバーは、金属性の帯状板体からなる連結用基板と、連結用基板の短手方向の両端部を固定側アウターメンバーの基板方向に突出させた両端ボール保持突片より、断面略コ字形に形成され、連結用基板の上下端部に、固定側アウターメンバーの基板方向に突出し、最上昇時に前記上ストッパー受片の下面に当接する上ストッパー突片と、最下降時に前記下ストッパー受片の上面に当接する下ストッパー突片が形成されると共に、両端ボール保持片には上下方向に所定間隔を有して、内面にテーパー面を有する皿型で、金属あるいは合成樹脂材からなるボールを回転自在に保持するボール保持孔が複数個形成されているものである。
【実施例】
【００１１】
以下、第１実施例を添付図面に基づいて詳述する。
図１から図４において、本発明の上下スライド案内装置１００は、固定側アウターメンバー１と、複数個のボール２・・・と、複数個のボール２・・・を介して固定側アウターメンバー１に摺動自在に保持される移動側インナーメンバー３より構成されている。
固定側アウターメンバー１は、金属性の帯状板体からなる基板１１と、基板１１の短手方向の両端部を略半円弧状に折り曲げて、内面にボール摺動面１２、１２が形成されたアウターメンバー両端折り曲げ縁１３、１３と、基板１１の上下端部を内方に折り曲げた上下ストッパー受片１４、１５より形成されている。
符号１６・・・は固定側アウターメンバー１を固定体（図示せず。）に連結するための連結孔を示している。
【００１２】
移動側インナーメンバー３は、金属性の帯状板体からなる連結用基板３１と、連結用基板３１の短手方向の両端部を固定側アウターメンバー１の基板１１方向に突出させた両端ボール保持突片３２、３２より、断面略横向きコ字形に形成され、連結用基板３１の上下端部に、固定側アウターメンバー１の基板１１方向に突出し、最上昇時に前記上ストッパー受片１４の下面に当接する上ストッパー突片３３と、最下降時に前記下ストッパー受片１５の上面に当接する下ストッパー突片３４が形成されると共に、両端ボール保持突片３２、３２には上下方向に所定間隔を有して、内面にテーパー面３５１を有する皿型で、ボール２・・・を回転自在に保持するボール保持孔３５・・・が複数個形成されている。
符号３１１・・・は移動側インナーメンバー３と移動体（図示せず。）を連結するための連結孔を示している。
ボール２は、略３分の１程度がボール保持孔３５に嵌合し、外周面が固定側アウターメンバー１のボール摺動面１２に接触する大きさの球状で、金属または合成樹脂材より形成されている。
【産業上の利用可能性】
【００１３】
本発明は、例えば、モーター等の外力によって昇降棚を上下昇降させる際、昇降棚と昇降棚を収納する外箱間に介在させて、昇降棚の昇降時の横揺れを防止するなど広範囲に利用可能である。
【符号の説明】
【００１４】
１                固定側アウターメンバー
１１              基板
１２、１２        ボール摺動面
１３、１３        アウターメンバー両端折り曲げ縁
１００            上下スライド案内装置
２                ボール
３                移動側インナーメンバー
３１              連結用基板
３２、３２        両端ボール保持突片
３５              ボール保持孔
３５１            テーパー面
【図１】
2013190047.tif 000003
【図２】
2013190047.tif 000004
【図３】
2013190047.tif 000005
【図４】
2013190047.tif 000006